(57)【特許請求の範囲】
【請求項１】
上面が開口する水槽の対向する内壁面から内側に突出する一対の突出部が形成された水槽であって、
前記一対の突出部は、水槽の底面に向かって傾斜する傾斜面を形成し、
前記傾斜面の低い方の端部から水平方向に延びる低段部と、
前記傾斜面の高い方の端部から、前記傾斜面から離れる方向に延びる第一水平面と、を有し、
前記低段部と、前記傾斜面と、前記第一水平面との内側端部は、同一直線状に延び、連続して面を形成している、水槽。
【請求項２】
前記第一水平面と、前記傾斜面に沿って延びる第二水平面とを含む高段部を有し、前記第一水平面から前記傾斜面と前記第二水平面とが分岐する請求項１に記載の水槽。
【請求項３】
請求項１又は２に記載の水槽に掛け渡されるプレートをさらに備えるシンクであって、
前記プレートの背面側には、前記水槽の前記内側端部よりもさらに内側に、下方に突出する規制部が設けられる、シンク。
【発明の詳細な説明】
【技術分野】
【０００１】
本発明は、水槽に関する。詳細には、プレートを載置して使用するシンクに配置される水槽に関する。
【背景技術】
【０００２】
従来、シンクに設けられた水槽の周縁に段差を設け、この段差に調理用や水切用のプレートを掛け渡して載置することが知られている。また、利便性を高めるため、水槽の上方に位置する高段部と、下方に位置する低段部を形成し、用途に応じてプレートを高段部又は低段部に載置可能としたシンクが提案されている（例えば、特許文献１参照）。
【先行技術文献】
【特許文献】
【０００３】
【特許文献１】特開平２−１４４００９号公報
【発明の概要】
【発明が解決しようとする課題】
【０００４】
しかしながら、特許文献１のシンクでは、水槽に形成される高段部及び低段部は、垂直方向に起立する面により連結されている。このため、プレートを高段部と低段部との間で移動させる際には、両手でプレートを保持して持ち上げ、置き換える必要があった。したがって、プレートを容易に移動させることができる水槽が望まれる。
【課題を解決するための手段】
【０００５】
上記目的を達成するため本発明は、上面が開口する水槽（例えば、後述の水槽１）の対向する内壁面から内側に突出する一対の突出部が形成された水槽であって、前記一対の突出部は、水槽の底面（例えば、後述の底面部１５）に向かって傾斜する傾斜面（例えば、後述の傾斜面１３）を形成する水槽を提供する。
【０００６】
前記一対の突出部は、前記傾斜面の一端部に、前記内壁面で水平方向に延びる段部（例えば、後述の高段部１１）を備えることが好ましい。
【０００７】
前記段部は、前記傾斜面の一端部から、前記傾斜面から離れる方向に延びる第一水平面（例えば、後述の第一水平面１１ａ）と、前記傾斜面に沿って延びる第二水平面（例えば、後述の第二水平面１１ｂ）とを含み、前記第一水平面から前記傾斜面と前記第二水平面とが分岐することが好ましい。
【０００８】
前記段部が前記傾斜面から離れる方向に延びる第一水平面と、前記傾斜面に沿って延びる第二水平面とを含み、前記第一水平面の内壁面と前記傾斜面の内壁面とが連続して面を形成することが好ましい。
【発明の効果】
【０００９】
本発明によれば、プレートを容易に移動させることができる水槽を提供することができる。
【図面の簡単な説明】
【００１０】
【図１】本実施形態のシンクを示す斜視図である。
【図２】本実施形態のシンクを示す部分斜視図である。
【図３】本実施形態のシンクを示す部分上面図である。
【図４】本実施形態の水槽の後壁部を示し、（ａ）図は図３に示すシンクのＡ−Ａ断面図であり、（ｂ）図は（ａ）図のＢ−Ｂ断面図である。
【図５】本実施形態の水切プレートを示す図であり、（ａ）図は上面図であり、（ｂ）図は側面図であり、（ｃ）図は背面図を示す。
【図６】本実施形態の水槽の使用の状態を示す図である。
【図７】本実施形態の水槽の使用の状態を示す図である。
【図８】本実施形態の変形例に係るシンクを示す部分上面図である。
【図９】本実施形態の変形例に係る水槽の後壁部を示す図である。
【発明を実施するための形態】
【００１１】
以下、本発明の一実施形態について、図面を参照しながら詳しく説明する。
図１は、本実施形態に係るシンク１００を示す斜視図である。シンク１００は、キッチン等に配置される調理用の設備である。シンク１００は、キャビネット１０１と、天板１０２と、水槽１と、プレート２と、蛇口１０３と、加熱調理台１０４と、を有し、水槽１に複数のプレート２を掛け渡して使用されるいわゆるダブルデッキシンクである。
【００１２】
シンク１００は、水槽１が配置されるシンク部１１０と、加熱調理台１０４が配置される加熱調理部１２０とに分かれ、これらが連結されて形成される。シンク１００は、シンク部１１０と、加熱調理部１２０とが、上面視で略くの字型を描くように連結されている。
シンク部１１０は、キャビネット１０１と、天板１０２と、水槽１と、蛇口１０３とにより構成され、加熱調理部１２０は、キャビネット１０１と、天板１０２と、加熱調理台１０４とにより構成される。
【００１３】
キャビネット１０１は、床等に設置される筐体である。キャビネット１０１は、水槽１の排水管や加熱調理台１０４に接続される配線等を隠ぺいするとともに、調理器具等の収納用の引出しを有する。
天板１０２は、キャビネット１０１の上面に配置され、水平な面を有する板である。天板１０２は、シンク１００の使用者が位置する手前側及びその奥側に延びる辺が天板１０２の長手方向となり、前後方向（奥行方向）に延びる辺が短手方向となっている。なお、本明細書において、シンク１００の使用の際に使用者が位置する側を前側、奥側を後側とする。
蛇口１０３は、シンク１００のシンク部１１０側に配置され、水槽１に水を供給する。
加熱調理台１０４は、シンク１００の加熱調理部１２０側に配置される。加熱調理台１０４は、ＩＨやガスコンロ等の調理設備である。
【００１４】
水槽１は、上面が開口した有底の形状を有し、概ね直方体である。水槽１は開口１４と、底面としての底面部１５と、前壁部１６及び後壁部１７と、一対の側壁部１８と、段部としての一対の高段部１１と、一対の低段部１２と、突出部としての傾斜面１３と、を有する。水槽１は、ステンレス鋼（ＳＵＳ）により形成されている。
【００１５】
開口１４は長方形に形成され、開口１４の長辺の端縁１４ａ、１４ｂが天板１０２の長手方向に沿うように配置されている。
底面部１５は、開口１４の下方に位置し、排水口１５１が形成されている（図２参照）。
前壁部１６、後壁部１７、及び側壁部１８は、それぞれ底面部の周縁から起立している。前壁部１６は、水槽１における手前側の壁部である。後壁部１７は、前壁部１６に対向し、シンク１００の奥側に位置する。前壁部１６と後壁部１７とは互いに対向し、前壁部１６と後壁部１７の水槽１における内側の面が、内壁面を構成している。
側壁部１８は、前壁部１６及び後壁部１７をつないで水槽１の前後方向に延びている。
【００１６】
図２は本実施形態のシンクを示す部分斜視図であり、図３は部分上面図である。図４（ａ）は、図３のＡ−Ａ断面図であり、図４（ｂ）は、図４（ａ）のＢ−Ｂ断面図である。これらの図では、加熱調理部１２０は省略して図示されている。
【００１７】
図２に示すように、一対の高段部１１は、前壁部１６及び後壁部１７における内壁面の上端部から一段下がった位置に形成されている。高段部１１は、前壁部１６から後方へ向かって、後壁部１７から前方へ向かって、それぞれ水槽１の内側へ延出するとともに、水平方向に延びている。
【００１８】
図３に示すように、一対の高段部１１は、開口１４の向かい合う端縁１４ａ、１４ｂに沿ってそれぞれ形成されている。高段部１１は、前壁部１６及び後壁部１７の前後方向に直交する左右方向、すなわち開口１４の長手方向の一方から他方まで延びている。高段部１１は、長手方向の一方側で水平方向に延び、水槽１の内側へ延出する延出長さが長く形成される第一水平面１１ａを有する。また、高段部１１は、長手方向の他方側で水平方向に延び、第一水平面１１ａよりも延出長さが小さく、例えば半分程度の延出長さを有する第二水平面１１ｂを有する。
【００１９】
図４（ａ）、図４（ｂ）に示すように、高段部１１は、上面が水平に形成されている。一対の高段部１１の上面は、互いに同一の高さを有する。第一水平面１１ａと第二水平面１１ｂとは、水平方向に連続して形成されている。
【００２０】
図２に戻って、一対の低段部１２は、高段部１１よりさらに下方で且つ高段部１１よりも前後方向内側に延出して形成される。図４（ｂ）に示すように、水槽１の断面視において、低段部１２は、高段部１１における水槽１の内側の端部から下方へ下がった位置で、前壁部１６及び後壁部１７の高さ方向における中央部の近傍から、水平に内側へ延出することで形成されている。
【００２１】
また、図３に示すように、低段部１２は、高段部１１の第二水平面１１ｂの内側に位置している。低段部１２の延出長さは、高段部１１の第一水平面１１ａの延出長さから第二水平面１１ｂの延出長さを引いた寸法と同じである。低段部１２は、第一水平面１１ａの内側（手前側）の端部の縁から、低段部１２の奥側の端部の縁までが、直線上に連続するように形成されている。
【００２２】
図４（ａ）、（ｂ）に示すように、低段部１２は、高段部１１と同様に、上面が水平に形成されている。一対の低段部１２の上面は、互いに同一の高さを有する。
【００２３】
傾斜面１３は、傾斜面１３の延びる方向の上端部が、第一水平面１１ａと連続して形成され、傾斜面１３の延びる方向の下端部が低段部１２と連続して形成される。傾斜面１３は、水槽１の底面部１５に向かって傾斜している。傾斜面１３は、第二水平面１１ｂから水槽１の内側へ突出するように形成される。具体的には、傾斜面１３は、高段部１１における第一水平面１１ａと、低段部１２との間で、高段部１１の途中、具体的には第一水平面１１ａと第二水平面１１ｂの境界部１１ｃから分岐して設けられる。傾斜面１３は、前壁部１６及び後壁部１７からそれぞれ前後方向内側に突出する突出部により形成されている。傾斜面１３は、高段部１１から低段部１２に連続するとともに、高段部１１及び低段部１２を連結するように傾斜して延びる。傾斜面１３の傾斜角度は、ステンレス鋼板（ＳＵＳ）を曲げて成型する際に、成型工程でベンダーがステンレス鋼板を挟むことのできる角度の範囲に設定されるが、例えば底面部１５に対して４５度以下の緩やかな角度に傾斜する。
傾斜面１３は、低段部１２及び第一水平面１１ａと、内側端部において同一直線状に連続している。すなわち、水槽１の内壁面のうち、第一水平面１１ａが形成されている領域の内壁面と、傾斜面１３が形成されている領域の内壁面と、低段部１２が形成されている領域の下方の内壁面とは、連続して形成されている。
【００２４】
プレート２は、開口１４の一部を覆うように高段部１１及び低段部１２に載置される板状の部材である。プレート２は、調理プレート２１と、水切プレート２２と、を有する。
【００２５】
調理プレート２１は、水槽１の開口１４の一部を塞ぐことが可能な平坦な板である。調理プレート２１は、水槽１に渡して配置することで、調理の下ごしらえや作業に必要な器具を載せる土台となる。
【００２６】
調理プレート２１は、高段部１１の第一水平面１１ａ側に配置される。調理プレート２１は、概ね長方形で四隅が曲面に形成されている。調理プレート２１は、調理プレート２１の長手方向に沿う辺が、水槽１の開口１４における前後方向の長さ（端縁１４ａ、１４ｂ間の長さ）よりもわずかに短い。調理プレート２１は、高段部１１のみを、端縁１４ａ、１４ｂに沿って左右にスライド可能に構成されている。調理プレート２１の幅方向に沿う辺には、調理プレート２１と側壁部１８とが直接擦り合うことを防止するための樹脂製の突起部２３が設けられている。
【００２７】
図４（ａ）に示すように、調理プレート２１の厚さ方向の高さは、高段部１１の上面からシンクの端縁１４ａ、１４ｂ、すなわち前壁部１６及び後壁部１７の上端部までの高さに対応している。詳細には、調理プレート２１の上面は一枚のステンレスの板面で構成され、その四周が折り曲げられており、調理プレート２１を高段部１１に載せたときに、上面が天板１０２と面一になるように形成されている。また、調理プレート２１の四隅の背面側には、高段部１１と直接擦り合うことを防止するための樹脂製の突起部２３が設けられている。
【００２８】
図５（ａ）〜図５（ｃ）は、本実施形態のプレート２における水切プレート２２を示し、図５（ａ）は、上面図を、図５（ｂ）は側面図を、図５（ｃ）は背面図を示す。
水切プレート２２は、平坦な板であり、水を下方へ通過させるための複数の貫通孔２２０を上面に有する。水切プレート２２は、水槽１に渡して配置することで、洗った野菜や食器を載せて、野菜や食器等に付着した水滴を水槽１に落とすことができる。
【００２９】
水切プレート２２は、調理プレート２１よりも一回り小さく、水槽１の前後方向の長さが調理プレート２１よりも小さい。水切プレート２２は、概ね長方形で四隅が曲面に形成されている。水切プレート２２は、水切プレート２２の長手方向に沿う辺が、一対の低段部１２の前後方向外側の端部間の長さよりもわずかに短い。水切プレート２２は、低段部１２上を、端縁１４ａ、１４ｂの延びる方向に沿って左右にスライド可能に構成されている。
【００３０】
水切プレート２２は、調理プレート２１と同様の高さを有して形成される。また、水切プレート２２は、調理プレート２１と同様に、上面が一枚のステンレスの板面で構成され、その四周が折り曲げられており、四隅の背面側には、低段部１２と直接擦り合うことを防止するための樹脂製の突起部２３が設けられている。
【００３１】
水切プレート２２は、カバー２４と、規制部２５と、を有する。
カバー２４は、水切プレート２２の幅方向に沿う辺に配置され、ステンレス製の水切プレートの端部を覆う樹脂製の部材により構成される。カバー２４は、水切プレート２２の上面及び側面では、四隅及び幅方向に沿う辺の中央部を覆っている。また、カバー２４は、水切プレート２２の背面側では、幅方向に沿う辺の全体に沿って延びている。
規制部２５は、カバー２４における水切プレート２２の背面側から、さらに下方に突出するリブ状の突起により構成されている。規制部２５は、水切プレート２２を低段部１２の上に載置したときに、向かい合う低段部１２におけるシンクの内側の端部よりもわずかに内側の位置から下方へ突出する。規制部２５は、水切プレート２２の背面側における幅方向に沿う辺に沿って延びている。規制部２５は、向かい合う低段部１２のそれぞれよりも下方に突出することで、水切プレート２２が左右にスライドされる際に、水切プレート２２を低段部１２に沿って案内するとともに、水切プレート２２が水槽１の前後方向に動くことを規制する。
【００３２】
図６及び図７は、本実施形態のシンク１００の使用の状態を示す図である。次に、シンクの使用の状態について説明する。
シンク１００では、水槽１の開口１４の一方側に水切プレート２２を、他方側に調理プレート２１を配置して使用することができる。この場合、水切プレート２２は、低段部１２に支持され、調理プレート２１は高段部１１の第一水平面１１ａに支持される。
【００３３】
調理プレート２１は、高段部１１が、前壁部１６及び後壁部１７の左右方向、すなわち開口１４の長手方向の一方から他方まで延びているので、開口１４の一方から他方までスライドさせることができ、所望の位置に配置することができる。調理プレート２１は、調理の下ごしらえスペースや、作業スペースを拡張するため、開口１４の左右方向に移動する。調理プレート２１は、高段部１１のみをスライド移動する。
【００３４】
図６に示すように、高段部１１は、傾斜面１３の一端部から、傾斜面１３から離れる方向に延びる第一水平面１１ａと、傾斜面１３に沿って延び、第一水平面１１ａと反対側に延びる第二水平面１１ｂとを有している。このように、傾斜面１３が高段部１１と低段部１２とを連結するように傾斜して延びているので、水切プレート２２は、開口１４の一方から他方まで、低段部１２と高段部１１との間を、傾斜面１３を介してスライド移動することができる。水切プレート２２は、調理プレート２１よりも前後方向の長さが短く形成されているため、低段部１２の上のみをスライド移動する。詳細には、水切プレート２２は、調理プレート２１を開口１４から外した状態で、片手で保持して低段部１２から傾斜面１３に沿ってスライドさせ、高段部１１の第一水平面１１ａに置くことができる。また、逆に、片手で水切プレート２２を保持して、第一水平面１１ａから傾斜面１３を伝って低段部１２にスライドさせ、低段部１２に配置することもできる。なお、傾斜面１３の傾斜角度は、水切プレート２２を傾斜面１３に沿ってスライドさせた際に、水切プレート２２に蛇口１０３が干渉しないような角度に設定されている。
【００３５】
水切プレート２２は、低段部１２の上で左右方向にスライドする場合は、低段部１２から上方に延びる前壁部１６及び後壁部１７によっても規制される。水切プレート２２が低段部１２からさらにスライドして高段部１１に配置された場合、高段部１１の第一水平面１１ａでは、水切プレート２２の長手方向の長さ（水槽１における前後方向の長さ）が端縁１４ａ、１４ｂ間の長さよりも短いので、前方又は後方のいずれか側へ偏ってしまうことも考えられる。しかし、規制部２５が低段部１２の内側の端部よりもさらに内側に設けられている。また、低段部１２と、傾斜面１３と、第一水平面１１ａの内側端部は、同一直線状に延び、連続して面を形成している。このため、規制部２５は、低段部１２の内側の縁と連続する第一水平面１１ａの内側の縁に案内される。したがって、水切プレート２２は、高段部１１に配置されても、ずれたり底面部１５に落下することが防止される。また、水切プレートが第一水平面１１ａに載置された場合、水切プレート２２と端縁１４ａ、１４ｂとの間に隙間が空くので、水がこの隙間から水槽１の底面部１５へと流れる。
【００３６】
図７に示すように、高段部１１の第二水平面１１ｂは、傾斜面１３の上端部に対して第一水平面１１ａとは反対側に形成されている。水切プレート２２を低段部１２に載せた状態で、調理プレート２１を水槽１の第二水平面１１ｂに載せ、調理プレート２１と水切プレート２２とを上下二段に配置して使用することができる。この場合、水切プレート２２は、使わない間は調理プレート２１の下に収納でき、使うときに片手で傾斜面１３をスライドさせて容易に取り出すことができる。
【００３７】
本実施形態によれば、以下のような効果を奏することができる。
本実施形態では、水槽１に、上面が開口する水槽１の対向する前壁部１６及び後壁部１７における内壁面から内側に突出する一対の突出部が形成し、この一対の突出部が、水槽１の底面部１５に向かって傾斜する傾斜面１３を形成するように構成した。
【００３８】
本実施形態によれば、水槽１に、プレート２等を掛け渡して用いる場合に、水槽１の上面側に掛け渡したプレート２を、傾斜面１３の上でスライドさせることで下方へ移動させることができる。よって、水槽内でプレートを容易に移動させることができる
【００３９】
本実施形態によれば、一対の突出部が、傾斜面１３の一端部に、内壁面で水平方向に延びる高段部１１を備えるように構成した。
これにより、水槽１に、プレート２等を掛け渡して用いる場合に、高段部１１でプレート２をスライドさせることで、プレート２を水槽１の左右方向に移動させることができる。また、高段部１１から傾斜面１３へプレート２をスライドさせることで、下方へも容易に移動させることができる。水槽１が高段部１１を有しているので、天板１０２に連続する水槽１の上端部にプレート２を直接置く場合と比べて、プレート２をずらすことなく安定して移動させることができる。
【００４０】
本実施形態によれば、高段部１１を、傾斜面１３の一端部から、傾斜面１３から離れる方向に延びる第一水平面１１ａと、傾斜面１３に沿って延びる第二水平面１１ｂとを含んで構成し、第一水平面１１ａから傾斜面１３と第二水平面１１ｂとが分岐するように構成した。
これにより、水槽１に、例えば調理プレート２１や水切プレート２２等のプレート２を複数掛け渡して用いる場合に、第一水平面１１ａから第２水平面１１ｂへ調理プレート２１をスライド移動させることができるとともに、調理プレート２１よりも長手方向の長さが短い水切プレート２２を、第一水平面１１ａから分岐した傾斜面１３へスライドさせて、下方へ移動させることができる。よって、プレート２の移動が容易になるとともに、複数のプレート２を水槽１に配置することができ、利便性が高まる。
【００４１】
本実施形態によれば、高段部１１を、傾斜面１３から離れる方向に延びる第一水平面１１ａと、傾斜面１３に沿って延びる第二水平面１１ｂとを含んで構成し、第一水平面１１ａの内壁面と傾斜面１３の内壁面とが連続して面を形成するように構成した。
これにより、水槽１に、プレート２を掛け渡して用いる場合に、プレート２を傾斜面１３から第一水平面１１ａ側へスムーズに移動させることができる。
【００４２】
なお、本発明は上記実施形態に限定されるものではなく、本発明の目的を達成できる範囲での変形、改良等は本発明に含まれる。
【００４３】
例えば、上記実施形態では、第一水平面１１ａと第二水平面１１ｂは連続して形成され、第一水平面１１ａの奥行方向の長さが第二水平面１１ｂの奥行方向の長さよりも長く形成されている。しかしながら、これに限られない。
図８は、上記実施形態の変形例に係るシンク１００Ａを示す部分上面図である。図９は、この変形例に係る水槽１Ａの後壁部を示す図であり、蛇口１０３、プレート２等は省略されて示されている。
図８に及び図９に示すように、第一水平面１１ａと第二水平面１１ｂは、連続して形成されていなくよもよい。また、第一水平面１１ａと第二水平面１１ｂとが、同じ奥行方向の長さを有していてもよい。図９に示すように、第二水平面１１ｂは、水槽１Ａの他方側に独立して、後壁部１７から水平方向に突出するように形成される。第一水平面１１ａと第二水平面１１ｂとの間に、プレート２が通り抜け可能な隙間Ｓがあれば、プレート２はこの隙間Ｓを通り抜けて低段部１２へ移動することができる。また、プレート２に所定の幅があるため、プレート２の幅が隙間Ｓよりも長ければ、第一水平面１１ａから第二水平面１１ｂへの移動もスムーズに行うことができる。
【００４４】
また、上記実施形態では、傾斜面１３は、下方から上方へ連続的に形成されている面となっているが、これに限られない。例えば、水槽１の内壁面から突出する突出部が断続的に配置されることで、傾斜面を形成するものであってもよい。
【００４５】
また、上記実施形態では、プレート２を調理プレート２１及び水切プレート２２としているが、これに限られない。高段部１１及び低段部１２に載置可能な板状の形状を有するものであれば、例えば水切りかごのような網状の形状を有していてもよい。
【００４６】
また、上記実施形態では、調理プレート２１を高段部１１に、水切プレート２２を低段部１２に載置しているがこれに限られない。プレートの機能は逆であってもよく、高段部に載置するプレートを水切プレートとし、低段部載置するプレートを貫通孔の開いていない調理プレートとしてもよい。
【００４７】
また、上記実施形態では、水槽１及び調理プレート２１、水切プレート２２はステンレスで構成されているが、これに限られない。樹脂で形成される人造大理石シンク等、所望の材料で形成されてよい。
【００４８】
また、上記実施形態では、水槽１は長方形の開口を有するが、水槽の形状はこれに限られない。水槽は、楕円形やひょうたん型等、所望の形状であってよい。
【符号の説明】
【００４９】
１  水槽
１１  高段部（段部）
１１ａ  第一水平面
１１ｂ  第二水平面
１３  傾斜面（突出部）
１４  開口
【図１】
0006456658.tif 000002
【図２】
0006456658.tif 000003
【図３】
0006456658.tif 000004
【図４】
0006456658.tif 000005
【図５】
0006456658.tif 000006
【図６】
0006456658.tif 000007
【図７】
0006456658.tif 000008
【図８】
0006456658.tif 000009
【図９】
0006456658.tif 000010